(57)【要約】【課題】表示装置の混色による影響を低減する。【解決手段】赤色画素、緑色画素、青色画素及び白色画素を一組とする主画素が複数配列してなる表示領域を有し、前記主画素は、前記白色画素が、前記青色画素以外の画素と隣接する配列を有し、前記表示領域は、前記主画素のそれぞれにおける前記白色画素が、相互に隣接するように配置されていることを特徴とする表示装置を提供する。前記主画素において、前記白色画素は、前記緑色画素と隣接してもよい。また、前記主画素において、前記青色画素は、前記赤色画素と隣接してもよい。【選択図】図１Ｃ
2015141402.tif 000002
【特許請求の範囲】
【請求項１】
赤色画素、緑色画素、青色画素及び白色画素を一組とする主画素が複数配列してなる表示領域を有し、
前記主画素は、前記白色画素が、前記青色画素以外の画素と隣接する配列を有し、
前記表示領域は、前記主画素のそれぞれにおける前記白色画素が、相互に隣接するように配置されていること、
を特徴とする表示装置。
【請求項２】
前記主画素において、前記白色画素は、前記緑色画素と隣接していることを特徴とする、請求項１に記載の表示装置。
【請求項３】
前記主画素において、前記青色画素は、前記赤色画素と隣接していることを特徴とする、請求項２に記載の表示装置。
【請求項４】
前記表示領域は、前記主画素のそれぞれにおける前記青色画素が、相互に隣接するように配置されていること、
を特徴とする請求項３に記載の表示装置。
【請求項５】
前記主画素は矩形状であり、
前記主画素の対角線と、前記対角線と概ね平行な二本の線によって、前記赤色画素、前記緑色画素、前記青色画素及び前記白色画素が画されること、
を特徴とする請求項４に記載の表示装置。
【請求項６】
前記主画素は矩形状であり、
前記主画素の一つの角と前記角の隣り合う二辺の一部とを共有する矩形状の前記白色画素と、
前記白色画素に隣接するＬ字形の前記緑色画素と、
前記緑色画素に隣接するＬ字形の前記赤色画素と、
前記赤色画素に隣接するＬ字形の前記青色画素と、
を有することを特徴とする請求項４に記載の表示装置。
【請求項７】
前記赤色画素、前記緑色画素、前記青色画素及び前記白色画素は、前記主画素の同一の角付近を中心とする三本の円弧によって画される、
ことを特徴とする請求項４に記載の表示装置。
【請求項８】
画素トランジスタとコンタクト部において電気的に接続する画素電極と、
格子状の配線によって区画される副画素が四つ正方された主画素とを有し、
前記画素電極のそれぞれは、前記主画素の中で線対象に配置され、前記副画素の少なくとも一つは、一つの副画素とのみ隣接するように配置されていること、
を特徴とする表示装置。
【発明の詳細な説明】
【技術分野】
【０００１】
本発明は、表示装置に関し、特にサブピクセルの構造及び配置における技術に関する。
【背景技術】
【０００２】
近年、モバイル用途の発光表示装置において、高精細化や低消費電力化に対する要求が強くなってきている。モバイル用途の表示装置としては、液晶表示装置（Ｌｉｑｕｉｄ  Ｃｒｙｓｔａｌ  Ｄｉｓｐｌａｙ  Ｄｅｖｉｃｅ：ＬＣＤ）や、有機ＥＬ表示装置等の自発光素子（ＯＬＥＤ：Ｏｒｇａｎｉｃ  Ｌｉｇｈｔ−Ｅｍｉｔｔｉｎｇ  Ｄｉｏｄｅ）を利用した表示装置や、電子ペーパー等が採用されている。
【０００３】
その中でも、ディスプレイパネルの薄型化や高輝度化や高速化を目的として、有機ＥＬ表示装置の開発が進められている。有機ＥＬ表示装置は、有機発光ダイオード（organic light-emitting diode）から構成された画素を備えた表示装置であり、機械的な動作がない為に反応速度が速く、各画素自体が発光するために高輝度表示が可能になるとともに、バックライトが不要となるために薄型化が可能になるので、次世代の表示装置として期待されている。
【０００４】
白色発光する有機発光ダイオードにカラーフィルタを組み合わせたＯＬＥＤ表示パネル等においては、一つのピクセル（主画素）は、複数の色を有するサブピクセル（副画素）によって構成され、ピクセルが配列されて表示領域を構成している。ＯＬＥＤ表示パネルの高精細化が進むに従い、表示パネルを斜め方向から見たときに、サブピクセルの正規の色に隣接するサブピクセルの異なる色が混ざる現象（いわゆる混色）が問題となってきている。混色を防ぐためには、画素間に遮光膜であるブラックマトリクスの幅を大きくすると効果がある。しかし、ブラックマトリクスの幅を広げると、開口率の低下を招き、表示品質の低下や、消費電力の悪化も招くことから、ブラックマトリクスによって混色を対策することには限界がある。
【０００５】
一方、各種表示装置においては、表示画面を構成する画素のサブピクセルに関し、中間色表示品質や製造の容易性の観点などから、種々のサブピクセルの形状や構成が提案されている（例えば、特許文献１、特許文献２参照）。
【先行技術文献】
【特許文献】
【０００６】
【特許文献１】特開２００７−２２７２７４号公報
【特許文献２】特開２００９−５３３８１０号公報
【発明の概要】
【発明が解決しようとする課題】
【０００７】
本発明は、混色の影響を低減した表示装置を提供する。
【課題を解決するための手段】
【０００８】
本発明の一実施形態によると、赤色画素、緑色画素、青色画素及び白色画素を一組とする主画素が複数配列してなる表示領域を有し、主画素は、白色画素が、青色画素以外の画素と隣接する配列を有し、表示領域は、主画素のそれぞれにおける白色画素が、相互に隣接するように配置されていることを特徴とする表示装置が提供される。
【０００９】
さらに、他の好ましい態様として、主画素において、白色画素は、緑色画素と隣接していることを特徴とする表示装置が提供される。
【００１０】
さらに、他の好ましい態様として、主画素において、青色画素は、赤色画素と隣接していることを特徴とする表示装置が提供される。
【００１１】
さらに、他の好ましい態様として、表示領域は、主画素のそれぞれにおける青色画素が、相互に隣接するように配置されていることを特徴とする表示装置が提供される。
【００１２】
さらに、他の好ましい態様として、主画素は矩形状であり、主画素の対角線と、対角線と概ね平行な二本の線によって、赤色画素、緑色画素、青色画素及び白色画素が画されることを特徴とする表示装置が提供される。
【００１３】
さらに、他の好ましい態様として、主画素は矩形状であり、主画素の一つの角と角の隣り合う二辺の一部とを共有する矩形状の白色画素と、白色画素に隣接するＬ字形の緑色画素と、緑色画素に隣接するＬ字形の赤色画素と、赤色画素に隣接するＬ字形の青色画素とを有することを特徴とする表示装置が提供される。
【００１４】
さらに、他の好ましい態様として、赤色画素、緑色画素、青色画素及び白色画素は、主画素の同一の角付近を中心とする三本の円弧によって画されることを特徴とする表示装置が提供される。
【００１５】
また、本発明の一実施形態によると、画素トランジスタとコンタクト部において電気的に接続する画素電極と、格子状の配線によって区画される副画素が四つ正方された主画素とを有し、画素電極のそれぞれは、主画素の中で線対象に配置され、副画素の少なくとも一つは、一つの副画素とのみ隣接するように配置されていることを特徴とする表示装置が提供される。
【図面の簡単な説明】
【００１６】
【図１Ａ】本発明の第１実施形態における表示装置のサブピクセルの配置を示した概略図である。
【図１Ｂ】本発明の第１実施形態における表示装置のピクセルの配置を示した概略図である。
【図１Ｃ】本発明の第１実施形態における表示装置のピクセルの配置を示した概略図である。
【図２Ａ】本発明の第１実施形態における表示装置のサブピクセルの配置を示した概略図である。
【図２Ｂ】本発明の第１実施形態における表示装置のピクセルの配置を示した概略図である。
【図３Ａ】本発明の第１実施形態における表示装置のサブピクセルの配置を示した概略図である。
【図３Ｂ】本発明の第１実施形態における表示装置のピクセルの配置を示した概略図である。
【図４Ａ】本発明の第２実施形態における表示装置のサブピクセルの配置を示した概略図である。
【図４Ｂ】本発明の第２実施形態における表示装置のピクセルの配置を示した概略図である。
【図５Ａ】本発明の第２実施形態における表示装置のサブピクセルの配置を示した概略図である。
【図５Ｂ】本発明の第２実施形態における表示装置のピクセルの配置を示した概略図である。
【図６Ａ】本発明の第３実施形態における表示装置のサブピクセルの配置を示した概略図である。
【図６Ｂ】本発明の第３実施形態における表示装置のピクセルの配置を示した概略図である。
【図７Ａ】本発明の第１実施形態における表示装置のピクセル部分の回路構成を示した図である。
【図７Ｂ】本発明の第１実施形態における表示装置のピクセル部分の平面透視図である。
【図７Ｃ】本発明の第１実施形態における表示装置のピクセル部分の平面透視図である。
【図７Ｄ】本発明の第１実施形態における表示装置のピクセルの配置の一例を示した概略図である。
【図８Ａ】従来の表示装置におけるサブピクセルの配置を示した概略図である。
【図８Ｂ】従来の表示装置におけるピクセルの配置を示した概略図である。
【図９】ＯＬＥＤパネルの断面図である。
【発明を実施するための形態】
【００１７】
以下に、本発明の各実施の形態について、図面を参照しつつ説明する。なお、開示はあくまで一例にすぎず、当業者において、発明の趣旨を保っての適宜変更について容易に想到し得るものについては、当然に本発明の範囲に含有されるものである。また、図面は説明をより明確にするため、実際の態様に比べ、各部の長さ、幅、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１８】
［本発明に至った経緯］
図８Ａは、従来技術のピクセル構造を示した図である。１つのピクセルは、Ｒ，Ｇ，Ｂ，Ｗの４つのサブピクセルで構成される。サブピクセルＲ，サブピクセルＧ，サブピクセルＢ，サブピクセルＷは、それぞれ矩形状であり、同一の形状をなしている。図８Ａのように、左上にサブピクセルＲ，右上にサブピクセルＧ、右下にサブピクセルＢ，左下にサブピクセルＷが田の字形に配置され、１つのピクセルを構成している。
【００１９】
図８Ｂは、従来技術のピクセル構造を示した図であり、ピクセルを表示装置に配置したときの状態を示したものである。表示装置は、画像を表示する表示装置とその外側の額縁部とを有する。ピクセルが格子状に配置され、表示領域を形成している。ここで、表示領域を形成するピクセルは、図８Ａに示したピクセル、すなわち、左上がサブピクセルＲ、右上がサブピクセルＧ，右下がサブピクセルＢ，左下がサブピクセルＷであり、全て同じ方向に並べて配置されている。したがって、表示領域内のサブピクセルの配置をみると、例えば一番上の横のラインは、左からＲ、Ｇ、Ｒ、Ｇ、…とＲとＧが交互に配置されており、上から二番目の横のラインは、左からＷ、Ｂ、Ｗ、Ｂ、…とＷとＢが交互に配置されている。縦のラインについては、一番左側の縦のラインは、上からＲ、Ｗ、Ｒ、Ｗ、…とＲとＷが交互に配置され、左から二番目の縦のラインは、上からＧ、Ｂ、Ｇ、Ｂ、…とＧとＢが交互に配置される。
【００２０】
図９は、ＯＬＥＤパネルの断面図であり、サブピクセルＷとサブピクセルＢが隣接した部分の断面を示した図である。第１ガラス基板８０１の上に第１層間絶縁膜８０２、第２層間絶縁膜８０３が積層され、ＴＦＴや容量等で構成される画素回路８０４が形成される。第２層間絶縁膜８０３及び画素回路８０４の上に平坦化膜８０５、反射板８０６、陽極８０７が形成される。陽極８０７間にはバンク８０８が形成され、陽極８０７及びバンク８０８の上に、ＥＬ層８０９、陰極８１０が積層される。ガラス基板８０１から陰極８１２で構成されるＬＴＰＳ基板８１１は、封止膜８１２が形成され、ＣＦ基板８１９と一定間隔を保って貼り合され、ＬＴＰＳ基板８１１とＣＦ基板８１９との間には、透明の樹脂等からなるＦＩＬＬ材８１３が充填されている。ＣＦ基板８１９は、第２ガラス基板８１８にカラーフィルタとブラックマトリックス８１７が形成され、さらにＯＣ８１４が形成される。従来の構造では、第１カラーフィルタ８１５として青色カラーフィルタを用い、第２カラーフィルタ８１６として白色カラーフィルタを用いた。なお、以上のＯＬＥＤパネルの構成は、サブピクセルの形状や配置に関連する要素を除き、本発明においても同様である。即ち、本発明においては、隣り合う第１カラーフィルタ８１５と第２カラーフィルタ８１６との内、一方に色度変化が認識されやすい青色が配置された場合、他方には輝度の高い白色または緑色を配置しない構造となっている。
【００２１】
画素回路８０４は陽極８０７と陰極８１０間に挟まれたＥＬ層８０９に流れる電流量を制御し、その電流に応じてＥＬ層８０９が発光する。図９のようにカラーフィルタを用いるタイプの有機ＥＬ表示装置では、ＥＬ層８０９は通常白色光を発光する。８２０及び８２１は、ＥＬ層８０９の発光をイメージしたものである。垂直方向に発行した光８２０は、陽極８０７の上に配置された青色カラーフィルタに入光する。青色カラーフィルタを通過した光８２０は、青色の光８２２として表示される。このように、青色カラーフィルタの下に配置された陽極電極８０７は、青色の発光を意図して制御される。
【００２２】
ＥＬ層８０９は、真上に配置されたカラーフィルタに向かって発光するだけでなく、全方向に向かって発光する。光８２１のように、隣の白色カラーフィルタに向かって斜め上方向に発光するものがある。このとき、光８２１は白色カラーフィルタを通過して、白色の光８２３として表示される。混色は、このように、発光素子（画素）から発光した光が、直上の正規のフィルタ（発色を意図したフィルタ）だけではなく、隣接した異なる色のフィルタからも透過する現象によって発生する。図９では、正規の色であるＢに対し、隣のＷが混色しているといえる。
【００２３】
ところで、色度とは色相と色の純度をあわせた色の属性であり、色度図上の距離と、実際に人間が色度変化を知覚できる度合いとは、色によって異なっている。Ｒ、Ｇ、Ｂ、Ｗで比較すると、Ｂが最も色度変化が認識されやすく、Ｇが最も認識され難い（特定の中心色に対する識別変動をＸＹ色度図に表した「マクアダムの楕円」を参照）。再び図８Ａ及び８Ｂを参照すると、左上にサブピクセルＲ、右上にサブピクセルＢ、右下にサブピクセルＧ、左下にサブピクセルＷを配置されており、サブピクセルＢとサブピクセルＷが辺で接しないのでサブピクセルＢに対するサブピクセルＷの混色は抑えられているが、サブピクセルＢはサブピクセルＷと同様に輝度の高いサブピクセルＧに接しているのでサブピクセルＧの混色を抑えることはできない。各サブピクセルの配置を変更しても、サブピクセルＢは、サブピクセルＷ及びサブピクセルＧのいずれか一方又は双方に接することになる。
【００２４】
本願の発明者は、混色による表示品質低下の問題に対し、混色の影響を受けやすいＢに対する混色は避けたいところであり、とりわけ輝度（視感度）の高いＷやＧがＢに混色することは避けたいところである、との問題意識を有するに至った。さらに、本願の発明者は、色度変化が認識され難いＧに対する混色は、比較的許容されやすく、また、混色の影響をなるべく避けるには、混色する色が輝度の低いＲであれば、比較的混色の影響が少なくなると考察するに至った。本願の発明者は、上述の問題意識や考察のもと、以下に述べる実施形態において混色の影響を抑えた表示装置を発明するに至った。以下、具体的な実施形態について詳述する。
【００２５】
＜第１実施形態＞
図１Ａは、本発明の第１実施形態における表示装置のサブピクセルの形状及び構成を示した概略図である。ピクセル１０は、頂点をａ、ｂ、ｃ、ｄとする矩形状を有している。ピクセル１０は、対角線ｂｄ、辺ａｄ上の点ｅと辺ａｂ上の点ｆを結ぶ線ｅｆ、辺ｄｃ上の点ｈと辺ｂｃ上の点ｇを結ぶ線ｈｇの、三本の線で４つに区画されている。青のサブピクセルＢは点ａｆｅで囲まれる領域に、赤のサブピクセルＲは点ｅｄｂｆで囲まれる領域に、緑のサブピクセルＧは点ｄｂｇｈで囲まれる領域に、白のサブピクセルＷは点ｈｇｃで囲まれる領域に、それぞれ形成され、サブピクセルＲ、サブピクセルＧ、サブピクセルＢ及びサブピクセルＷでピクセル１０を構成している。
【００２６】
なお、図１Ａその他本明細書中における図において、各サブピクセルは隙間なく接しているように描かれているが、各サブピクセル間にブラックマトリックスが設置されるため等の隙間を適宜形成してもよい。また、本明細書中で「サブピクセルが隣接する」あるいは「サブピクセルが接する」とは、特に説明の無い限り、一方のサブピクセルがブラックマトリックス等を挟んで他方のサブピクセルの隣に配置されている状態をいう。
【００２７】
図１Ｂは、本発明の第１実施形態における表示装置のピクセルの配置を示した概略図である。図１Ｂには、ピクセル１１、ピクセル１２、ピクセル１３、ピクセル１４の４つのピクセルが配置されている。それぞれのピクセルは、図１Ａで示されたピクセル１０と同様に、サブピクセルＲ、Ｇ、Ｂ及びＷが構成及び配置されている。図１Ａと図１Ｂをあわせて参照すると、ピクセル１１は、ピクセル１０と同じ向きで配置されている。ピクセル１２は、ピクセル１０を、ピクセル１０の頂点ｃを中心にして右回りに９０度回転した状態で配置されている。ピクセル１３は、ピクセル１０を、ピクセル１０の頂点ｃを中心にして１８０度回転した状態で配置されている。ピクセル１４は、ピクセル１０を、ピクセル１０の頂点ｃを中心にして２７０度回転した状態で配置されている。
【００２８】
図１Ｃは、本発明の第１実施形態における表示装置のピクセルの配置を示した概略図である。表示装置３００は、画像を表示する表示領域１００と、表示領域１００の外側から表示装置３００の外縁までの額縁領域２００を有している。表示領域１００には、図１Ｂで示したピクセルの配置の規則性を保ちつつ、順次ピクセルが配置されている。
【００２９】
サブピクセルＢは、サブピクセルＲか、あるいは他のピクセルを構成するサブピクセルＢに隣接していることがわかる。上述のように、ＢはＲ、Ｇ、Ｂ及びＷの中で最も色度変化が認識されやすいので、混色の観点からは、サブピクセルＢが最も混色の影響を受けやすい。また、ＲはＲ、Ｇ、Ｂ及びＷの中で最も輝度が低いので、混色の観点からは、サブピクセルＲが他への悪影響が小さい。したがって、第１実施形態では、混色の観点から最も影響を受けやすいサブピクセルＢを、最も他への悪影響が少ないサブピクセルＲで囲んだ構成となっているので、サブピクセルＢに対する混色をより抑制することが可能となっている。
【００３０】
また、サブピクセルＷに隣接するサブピクセルは、サブピクセルＧか、あるいは他のピクセルを構成するサブピクセルＷであることがわかる。上述のように、ＷはＲ、Ｇ、Ｂ及びＷの中で最も輝度が高いので、混色の観点からはサブピクセルＷが最も悪影響を与えやすい。また、ＧはＲ、Ｇ、Ｂ及びＷの中で最も色度変化が認識され難いので、混色の観点からはサブピクセルＧが最も影響を受けにくい。したがって、第１実施形態では、混色の観点から最も悪影響を与えやすいサブピクセルＷを、最も悪影響を受けにくいサブピクセルＧで囲んだ構成となっているので、サブピクセルＷによる混色をより抑制することが可能となっている。
【００３１】
＜第１実施形態の変形例１＞
図１Ａでは、ピクセル１０を頂点ａｂｃｄとする正方形で図示したが、本発明の実施形態においては、ピクセルの形状は正方形に限られるものではない。また、線ｂｄは対角線と一致し、線ｅｆ及び線ｈｇは、線ｂｄと平行に配置しているが、本発明の実施形態において、これらのサブピクセルの境界を画する線は互いが完全に平行なものに限られない。さらに、各サブピクセルの境界を画する線は、必ずしも直線である必要はない。
【００３２】
図２Ａは、第１実施形態におけるサブピクセルの配置の変形例１を示したものである。サブピクセル１５は、図１Ａのサブピクセル１０と異なり、サブピクセルＲとサブピクセルＧの境界線が、対角線ｂｄではなく、辺ａｄ上でｄに近傍の点ｄ１と、辺ｂｃ上で点ｂに近傍の点ｂ１とを結ぶ線ｂ１ｄ１となっている。また、サブピクセルＢとサブピクセルＲの境界線ｅ１ｆ１と、サブピクセルＧとサブピクセルＷの境界線ｈ１ｇ１は、いずれも線ｂ１ｄ１と完全に平行ではない。
【００３３】
図２Ｂは、第１実施形態におけるピクセル構成の変形例１を示したものである。図２Ｂにおいても、図１Ｂ及び図１Ｃと同様に、図１Ａで示されるピクセルを、同一の頂点を中心に、同一方向に９０度、１８０度、２７０度回転して、規則的に配置されている。図２Ｂにおいても、サブピクセルＢはサブピクセルＲに囲まれ、サブピクセルＷはサブピクセルＧに囲まれているので、第１実施形態と同様に混色による影響を抑えることが可能となっている。
【００３４】
＜第１実施形態の変形例２＞
図１Ａのピクセル１０では、サブピクセルＲ、サブピクセルＧ、サブピクセルＢ及びサブピクセルＷの各面積がほぼ同一になるように配置されているが、本発明の実施形態はこれに限られるものではない。
【００３５】
図３Ａは、第１実施形態におけるサブピクセルの構成の変形例２を示したものである。図３Ａでは、点ｂと点ｄを結ぶ線ｂｄと、辺ａｄ上の点ｈ２と辺ａｂ上の点ｇ２とを結ぶ線ｈ２ｇ２と、辺ａｄ上にあり点ｈ２よりも頂点ａにより近い点ｅ２と、辺ａｂ上にあり点ｇ２よりも頂点ａにより近い点ｆ２とを結ぶ線ｅ２ｆ２とで、サブピクセルの範囲が画されている。各サブピクセルの面積は、Ｗ、Ｇ、Ｒ、Ｂの順に広くなっており、各サブピクセルの面積は異なっている。
【００３６】
図３Ｂは、第１実施形態におけるピクセル構成の変形例２を示したものである。図３Ｂにおいても、図１Ｂ及び図１Ｃと同様にピクセルが向きを変えながら規則的に配置されている。図３Ｂにおいても、サブピクセルＢはサブピクセルＲに囲まれ、サブピクセルＷはサブピクセルＧに囲まれているので、第１実施形態と同様に混色による影響を抑えることが可能となっている。
【００３７】
＜第２実施形態＞
図４Ａは、本発明の第２実施形態における表示装置のサブピクセルの形状及び構成を示した概略図である。ピクセル１０は、頂点をｐ、ｑ、ｒ、ｓとする矩形状を有している。ピクセル１０の右上に、点ｐ１、ｑ、ｒ１、ｓ１を頂点とする矩形状のサブピクセルＷが配置される。ここで、点ｐ１はピクセル１０の辺ｐｑ上の点であり、点ｒ１は辺ｑｒ上の点である。また、点ｓ１は、サブピクセル１０の対角線ｑｓ上に位置する。
【００３８】
サブピクセルＷの左側と下側に接するように、Ｌ字形のサブピクセルＧが配置される。サブピクセルＷの左側と下側に接するように、Ｌ字形のサブピクセルＧが配置される。ｐ２は辺ｐｑ上の点であり、ｒ２は辺ｑｒ上の点であり、ｓ２は対角線ｑｓ上に位置する点である。サブピクセルＧは、点ｐ２、ｐ１、ｓ１、ｒ１、ｒ２、ｓ２、ｐ２を順に線で結んで形成される領域に配置される。
【００３９】
Ｌ字形のサブピクセルＧに接して、サブピクセルＲが配置され、さらに、サブピクセルＲに接してサブピクセルＢが配置される。ここで、ｐ３は辺ｐｑ上の点であり、ｒ３は辺ｑｒ上の点であり、ｓ３は対角線ｑｓ上に位置する点である。サブピクセルＲは、点ｐ３、ｐ２、ｓ２、ｒ２、ｒ３、ｓ３、ｐ３を順に線で結んで形成される領域に配置される。また、サブピクセルＢは、点ｐ、ｐ３、ｓ３、ｒ３、ｒ、ｓ、ｐを順に線で結んで形成される領域に配置される。
【００４０】
図４Ｂは、本発明の第２実施形態における表示装置のピクセルの配置を示した概略図である。第２実施形態においても、第１実施形態と同様に、同一方向に９０度、１８０度、２７０度回転させたピクセルと併せて４つのピクセルが構成され、規則正しく表示領域１００に配置される。
【００４１】
図４Ｂを参照すると、サブピクセルＢはサブピクセルＲ（及び他のピクセルを構成するサブピクセルＢ）とのみ接し、サブピクセルＷはサブピクセルＧに囲まれているので、第１実施形態と同様に混色による影響を抑えることが可能となっている。
【００４２】
＜第２実施形態の変形例＞
図４Ａでは、点ｐ１、ｑ、ｒ１、ｓ１を頂点とする矩形、点ｐ２、ｑ、ｒ２、ｓ２を頂点とする矩形、点ｐ３、ｑ、ｒ３、ｓ３を頂点とする矩形、及び点ｐ、ｑ、ｒ、ｓを頂点とする矩形は、いずれも正方形で図示したが、本発明の実施形態はこれに限られない。
【００４３】
図５Ａは、第２実施形態におけるサブピクセルの構成の変形例を示したものである。ここでは、各サブピクセルがＬ字形の線で画されている。しかし、サブピクセルＷは正方形ではなく、Ｌ字形のサブピクセルＧ、Ｒ、Ｂは、いずれもＬ字の一方の側と他方の側との幅が異なっている。しかし、図５Ｂのように、サブピクセルＢはサブピクセルＲとのみ接し、サブピクセルＷはサブピクセルＧに囲まれるよう、適切に各サブピクセルの形状を調整し、配置することは可能である。
【００４４】
＜第３実施形態＞
図６Ａは、本発明の第３実施形態における表示装置のサブピクセルの形状及び構成を示した概略図である。ピクセル１０は頂点をｔ、ｕ、ｖ、ｗとする正方形であり、点ｖを中心とする３つの同心円でサブピクセルが画される。点ｖに近い順に、サブピクセルＷ、サブピクセルＧ、サブピクセルＲ、サブピクセルＢが配置される。
【００４５】
図６Ｂは、本発明の第３実施形態における表示装置のピクセルの配置を示した概略図である。第３実施形態においても、第１実施形態と同様に、同一方向に９０度、１８０度、２７０度回転させたピクセルと併せて４つのピクセルが構成され、規則正しく表示領域１００に配置される。
【００４６】
図６Ｂを参照すると、サブピクセルＢはサブピクセルＲ（及び他のピクセルを構成するサブピクセルＢ）とのみ接し、サブピクセルＷはサブピクセルＧに囲まれているので、第１実施形態と同様に混色による影響を抑えることが可能となっている。
【００４７】
＜第３実施形態の変形例＞
第３実施形態においても、第１実施形態の変形例や第２実施形態の変形例と同様に、サブピクセルを画する円の中心が多少ずれていたり、サブピクセルの面積に差異があったりしても、本発明における効果を発揮することが可能である。また、サブピクセルの色の配置順を変更しても、同様の効果を発揮することができる。例えば第３実施例においては、図６Ａの点ｖに近い順に、サブピクセルＢ、サブピクセルＲ、サブピクセルＧ、サブピクセルＷが配置されたとしても、サブピクセルＢはサブピクセルＲで囲まれ、サブピクセルＷはサブピクセルＧとしか接しないので、混色の影響を抑えることが可能である。
【００４８】
＜回路構成＞
以下、図７Ａ〜図７Ｄを参照しながら、具体的な回路構成について説明する。図７Ａは、本発明の第１実施形態における表示装置のピクセル部分の回路構成を示した図である。図７Ａでは、走査線１０３、第１制御線１０４、第２制御線１０５が、横方向に配線され、信号線１０１と電源線１０２が縦方向に配線されている。これらの各線は格子状に配線され、図７Ａではこれら配線によって４つの領域が形成され、それぞれが各サブピクセルの画素回路１１０を構成している。画素回路１１０には、ＴＦＴ１１２、１１３、１１４、容量１１５、有機発光ダイオード１１１が含まれる。図７Ａで示す回路は基本的な画素回路の一例であり、本発明においてはサブピクセルの形状や配置に影響がなければ、任意の画素回路を構成してもよい。
【００４９】
図７Ｂは、本発明の第１実施形態における表示装置のピクセル部分の平面透視図である。格子状に配線された走査線１０３、第１制御線１０４、信号線１０１及び電源線１０２によって、左上に画素回路形成領域１２０、右上に画素回路形成領域１３０、右下に画素回路形成領域１４０、そして左下に画素回路形成領域１４１が形成されている。それぞれの画素回路形成領域には、画素回路と画素電極とを電気的に接続するためのコンタクトホール１２１、１３１、１４１、１５１がそれぞれ形成される。ここで、コンタクトホール１２１は画素回路形成領域１２０の右上に、コンタクトホール１３１は画素回路形成領域１３０の左上に、コンタクトホール１４１は画素回路形成領域１４０の左下に、コンタクトホール１５１は画素回路形成領域１５０の右下に形成されている。
【００５０】
図７Ｃは、本発明の第１実施形態における表示装置のピクセル部分の平面透視図であり、図７Ｂに画素電極を重ねた状態を図示したものである。コンタクトホール１２１を介して画素回路形成領域１２０の回路に電気的に接続される画素電極１２２は、画素回路形成領域１２０の左上付近から、コンタクトホール１２１の上側と右側をまわって、画素回路形成領域１５０の左上付近を通り、再び画素回路形成領域１２０の左上付近に戻る線で、画されている。コンタクトホール１３１を介して画素回路形成領域１３０の回路に電気的に接続される画素電極１３２は、画素回路形成領域１３０の右上から画素回路形成領域１５０の左下に行き、さらに画素回路形成領域１５０の左上付近を通って、コンタクトホール１３１の左下付近まで行き、近卓ホール１３１の左側及び上側を通って、再び画素回路形成領域１３０の右上に戻る線によって、画されている。画素電極１４２および画素電極１５２は、電源線１０２と第２制御線１０５との交点を中心として、画素電極１２２および画素電極１３２を点対称にした形状を有する。
【００５１】
図７Ｄは、本発明の第１実施形態における表示装置のピクセルの配置の一例を示した概略図であり、図７Ｃにおいて、画素電極１２２がサブピクセルＢに、画素電極１３２がサブピクセルＲに、画素電極１５２がサブピクセルＧに、画素電極１４２がサブピクセルＷに、それぞれ対応した構成を示している。この場合においても、サブピクセルＢはサブピクセルＲに囲まれ、サブピクセルＷはサブピクセルＧに囲まれているので、混色による影響を抑えることが可能となっていることがわかる。
【００５２】
以上、第１実施形態乃至第６実施形態においては、開示例として有機ＥＬ表示装置の場合を例示したが、その他の適用例として、発光素子とカラーフィルタを有するタイプの、液晶表示装置、その他の自発発光型表示装置、あるいは電気泳動素子等を有する電子ペーパー型表示装置等のフラットパネル型の表示装置が挙げられる。また、本実施形態は特に小型の表示装置において効果が顕著であるが、中小型から大型まで、特に限定することなく適用が可能であることは言うまでもない。
【００５３】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったものの、又は、工程の追加、省略若しくは条件変更を行ったものも、本発明の要旨を備えている限り、本発明の範囲に含まれる。
【符号の説明】
【００５４】
１０、１１、１２、１３、１４…ピクセル、１００…表示領域、２００…額縁領域、３００…表示装置
【図１Ａ】
2015141402.tif 000003
【図１Ｂ】
2015141402.tif 000004
【図１Ｃ】
2015141402.tif 000005
【図２Ａ】
2015141402.tif 000006
【図２Ｂ】
2015141402.tif 000007
【図３Ａ】
2015141402.tif 000008
【図３Ｂ】
2015141402.tif 000009
【図４Ａ】
2015141402.tif 000010
【図４Ｂ】
2015141402.tif 000011
【図５Ａ】
2015141402.tif 000012
【図５Ｂ】
2015141402.tif 000013
【図６Ａ】
2015141402.tif 000014
【図６Ｂ】
2015141402.tif 000015
【図７Ａ】
2015141402.tif 000016
【図７Ｂ】
2015141402.tif 000017
【図７Ｃ】
2015141402.tif 000018
【図７Ｄ】
2015141402.tif 000019
【図８Ａ】
2015141402.tif 000020
【図８Ｂ】
2015141402.tif 000021
【図９】
2015141402.tif 000022